(57)【要約】【課題】被測定物の調整を行う際の調整効率の向上を図る。【解決手段】サンプリングオシロスコープ１は、被測定物Ｗの入力信号をサンプリングして波形データを生成する波形データ生成部３と、サンプリング開始パラメータとサンプリング停止パラメータを設定する操作部２と、波形データ生成部３にて生成された波形データを記憶する記憶部４と、操作部２にて設定された測定項目について、記憶部４に記憶された波形データから演算した今回の測定結果と前回の測定結果との比較結果がサンプリング開始パラメータによるサンプリング開始条件を満たすとサンプリングを開始し、サンプリング停止パラメータによるサンプリング停止条件を満たすとサンプリングを停止する測定演算部５と、サンプリングを停止したときに、サンプリングの開始から停止までの測定結果と波形データを表示画面８ａに表示制御する表示制御部７とを備える。【選択図】図１
2019109205.tif 000002
【特許請求の範囲】
【請求項１】
被測定物（Ｗ）の入力信号をサンプリングして波形データを生成する波形データ生成部（３）と、
前記被測定物の測定項目、前記測定項目毎の変化量を少なくともサンプリング開始パラメータとして設定するとともに、前記波形データのサンプル数、波形数、サンプリング時間の少なくとも何れかをサンプリング停止パラメータとして設定する操作部（２）と、
前記波形データ生成部にて生成された前記波形データを記憶する記憶部（４）と、
前記操作部にて設定された前記測定項目について、前記記憶部に記憶された前記波形データから演算した今回の測定結果と前回の測定結果との比較結果が前記サンプリング開始パラメータによるサンプリング開始条件を満たしたときにサンプリングを開始し、前記サンプリング停止パラメータによるサンプリング停止条件を満たしたときにサンプリングを停止する測定演算部（５）と、
前記サンプリングを停止したときに、前記サンプリングを開始してから停止するまでの測定結果と波形データの少なくとも何れかを表示画面（８ａ）に表示制御する表示制御部（７）とを備えたことを特徴とするサンプリングオシロスコープ。
【請求項２】
前記サンプリング開始条件を満たしてサンプリングを開始したときに、サンプリングを開始した旨を報知する報知部（９）を備えたことを特徴とする請求項１記載のサンプリングオシロスコープ。
【請求項３】
前記サンプリング停止条件を満たしてサンプリングを停止したときに、前記表示画面（８ａ）に表示される測定結果と波形データのスクリーンショットを撮影することを特徴とする請求項１記載のサンプリングオシロスコープ。
【請求項４】
被測定物（Ｗ）の入力信号をサンプリングして波形データを生成するステップと、
前記被測定物の測定項目、前記測定項目毎の変化量を少なくともサンプリング開始パラメータとして設定するとともに、前記波形データのサンプル数、波形数、サンプリング時間の少なくとも何れかをサンプリング停止パラメータとして設定するステップと、
前記生成された前記波形データを記憶するステップと、
前記設定された前記測定項目について、前記記憶された前記波形データから演算した今回の測定結果と前回の測定結果との比較結果が前記サンプリング開始パラメータによるサンプリング開始条件を満たしたときにサンプリングを開始し、前記サンプリング停止パラメータによるサンプリング停止条件を満たしたときにサンプリングを停止するステップと、
前記サンプリングを停止したときに、前記サンプリングを開始してから停止するまでの測定結果と波形データの少なくとも何れかを表示画面（８ａ）に表示制御するステップとを含むことを特徴とするサンプリングオシロスコープを用いたサンプリング方法。
【請求項５】
前記サンプリング開始条件を満たしてサンプリングを開始したときに、サンプリングを開始した旨を報知するステップを含むことを特徴とする請求項４記載のサンプリングオシロスコープ。
【請求項６】
前記サンプリング停止条件を満たしてサンプリングを停止したときに、前記表示画面（８ａ）に表示される測定結果と波形データのスクリーンショットを撮影するステップを含むことを特徴とする請求項４記載のサンプリングオシロスコープ。
【発明の詳細な説明】
【技術分野】
【０００１】
本発明は、時間の経過とともに電気信号が変化していく様子を観測できるサンプリングオシロスコープ及びこれを用いたサンプリング方法に関する。
【背景技術】
【０００２】
従来、時間の経過とともに電気信号が変化していく様子を観測できる波形測定器として、例えば下記特許文献１などに開示されるようなデジタルオシロスコープが一般的に知られている。
【０００３】
ところで、被測定物（ＤＵＴ）の量産工程において、被測定物の性能を調整する場合には、被測定物の出力信号の波形やその測定結果をデジタルオシロスコープで確認しながら行うことがある。
【０００４】
そして、この種のデジタルオスロスコープとしては、リアルタイムオシロスコープとサンプリングオシロスコープが知られており、リアルタイムオシロスコープを用いれば、被測定物を調整するたびに、予め定められたサンプリング開始条件で波形を収集し、波形やその測定結果の変化を確認しつつ被測定物の調整を行うことができる。
【先行技術文献】
【特許文献】
【０００５】
【特許文献１】特開２００２−１６２４１９号公報
【発明の概要】
【発明が解決しようとする課題】
【０００６】
ところが、リアルタイムオシロスコープは、サンプリングオシロスコープに比べて高価である。このため、被測定物の量産工程の製造ラインに対し、リアルタイムオシロスコープを複数台導入するには全体のコストが嵩むという問題があった。
【０００７】
これに対し、サンプリングオシロスコープを用いれば、リアルタイムオシロスコープに比べてより安価であるため、全体のコストを抑えることができる。そして、サンプリングオシロスコープを用いた場合には、図３に示すように、ユーザが例えば本体に設けられるスイッチなどを操作してサンプリングを開始し（ＳＴ２１）、所定のサンプリング時間（例えば５秒）が経過するとサンプリングを停止（ＳＴ２２）する。その後、ユーザが表示画面上で測定結果を確認して問題がないか否か判断する（ＳＴ２３）。そして、ユーザは、被測定物の測定結果に問題があれば被測定物を調整し（ＳＴ２４）、再度スイッチなどを操作してサンプリングを開始し（ＳＴ２１）、被測定物の測定結果に問題がなくなるまでサンプリングを繰り返し行っていた。
【０００８】
しかしながら、サンプリングオシロスコープでは、リアルタイムオシロスコープのように、サンプリング開始条件を検知して波形の収集を開始するということができない。このため、被測定物の調整を行いつつ例えばスイッチなどを操作してサンプリングの開始をユーザが手動で操作する必要があり、被測定物の調整に専念することができず、リアルタイムオシロスコープに比べて調整効率が低下するという問題があった。
【０００９】
そこで、本発明は上記問題点に鑑みてなされたものであって、被測定物の調整を行う際の調整効率の向上を図ることができるサンプリングオシロスコープ及びこれを用いたサンプリング方法を提供することを目的としている。
【課題を解決するための手段】
【００１０】
上記目的を達成するため、本発明の請求項１に記載されたサンプリングオシロスコープは、被測定物Ｗの入力信号をサンプリングして波形データを生成する波形データ生成部３と、
前記被測定物の測定項目、前記測定項目毎の変化量を少なくともサンプリング開始パラメータとして設定するとともに、前記波形データのサンプル数、波形数、サンプリング時間の少なくとも何れかをサンプリング停止パラメータとして設定する操作部２と、
前記波形データ生成部にて生成された前記波形データを記憶する記憶部４と、
前記操作部にて設定された前記測定項目について、前記記憶部に記憶された前記波形データから演算した今回の測定結果と前回の測定結果との比較結果が前記サンプリング開始パラメータによるサンプリング開始条件を満たしたときにサンプリングを開始し、前記サンプリング停止パラメータによるサンプリング停止条件を満たしたときにサンプリングを停止する測定演算部５と、
前記サンプリングを停止したときに、前記サンプリングを開始してから停止するまでの測定結果と波形データの少なくとも何れかを表示画面８ａに表示制御する表示制御部７とを備えたことを特徴とする。
【００１１】
本発明の請求項１に記載されたサンプリングオシロスコープによれば、低コストのサンプリングオシロスコープであっても自動的にサンプリングを開始／停止させて波形データを収集することができる。しかも、ユーザが被測定物の調整に専念できるので、低コストと調整効率の良さを両立することができる。また、サンプリング改組／停止条件を満たした測定結果や波形データのみを効率的に表示や保存が行えるので、被測定物の調整の効率化や不具合の特定が容易になる。
【００１２】
請求項２に記載されたサンプリングオシロスコープは、請求項１のサンプリングオシロスコープにおいて、
前記サンプリング開始条件を満たしてサンプリングを開始したときに、サンプリングを開始した旨を報知する報知部９を備えたことを特徴とする。
【００１３】
本発明の請求項２に記載されたサンプリングオシロスコープによれば、ユーザに対して、サンプリングを開始したことをブザー音や表示メッセージにより知らせることができる。
【００１４】
請求項３に記載されたサンプリングオシロスコープは、請求項１のサンプリングオシロスコープにおいて、
前記サンプリング停止条件を満たしてサンプリングを停止したときに、前記表示画面８ａに表示される測定結果と波形データのスクリーンショットを撮影することを特徴とする。
【００１５】
本発明の請求項３に記載されたサンプリングオシロスコープによれば、被測定物の測定後であっても、撮影したスクリーンショットの測定結果と波形データから被測定物の性能を検証することができる。
【００１６】
請求項４に記載されたサンプリングオシロスコープを用いたサンプリング方法は、被測定物Ｗの入力信号をサンプリングして波形データを生成するステップと、
前記被測定物の測定項目、前記測定項目毎の変化量を少なくともサンプリング開始パラメータとして設定するとともに、前記波形データのサンプル数、波形数、サンプリング時間の少なくとも何れかをサンプリング停止パラメータとして設定するステップと、
前記生成された前記波形データを記憶するステップと、
前記設定された前記測定項目について、前記記憶された前記波形データから演算した今回の測定結果と前回の測定結果との比較結果が前記サンプリング開始パラメータによるサンプリング開始条件を満たしたときにサンプリングを開始し、前記サンプリング停止パラメータによるサンプリング停止条件を満たしたときにサンプリングを停止するステップと、
前記サンプリングを停止したときに、前記サンプリングを開始してから停止するまでの測定結果と波形データの少なくとも何れかを表示画面８ａに表示制御するステップとを含むことを特徴とする。
【００１７】
本発明の請求項４に記載されたサンプリング方法によれば、低コストのサンプリングオシロスコープであっても自動的にサンプリングを開始／停止させて波形データを収集することができる。しかも、ユーザが被測定物の調整に専念できるので、低コストと調整効率の良さを両立することができる。また、サンプリング改組／停止条件を満たした測定結果や波形データのみを効率的に表示や保存が行えるので、被測定物の調整の効率化や不具合の特定が容易になる。
【００１８】
請求項５に記載されたサンプリングオシロスコープを用いたサンプリング方法は、請求項４のサンプリングオシロスコープを用いたサンプリング方法において、
前記サンプリング開始条件を満たしてサンプリングを開始したときに、サンプリングを開始した旨を報知するステップを含むことを特徴とする。
【００１９】
本発明の請求項５に記載されたサンプリング方法によれば、ユーザに対して、サンプリングを開始したことをブザー音や表示メッセージにより知らせることができる。
【００２０】
請求項６に記載されたサンプリングオシロスコープを用いたサンプリング方法は、請求項４のサンプリングオシロスコープを用いたサンプリング方法において、
前記サンプリング停止条件を満たしてサンプリングを停止したときに、前記表示画面８ａに表示される測定結果と波形データのスクリーンショットを撮影するステップを含むことを特徴とする。
【００２１】
本発明の請求項６に記載されたサンプリング方法によれば、被測定物の測定後であっても、撮影したスクリーンショットの測定結果と波形データから被測定物の性能を検証することができる。
【発明の効果】
【００２２】
本発明によれば、低コストのサンプリングオシロスコープであっても自動的にサンプリングを開始／停止させて波形データを収集することができるとともに、被測定物の調整に専念でき、低コストと調整効率の良さを両立することができる。
【図面の簡単な説明】
【００２３】
【図１】本発明に係るサンプリングオシロスコープのブロック構成図である。
【図２】本発明に係るサンプリングオシロスコープを用いたサンプリング方法のフローチャートである。
【図３】従来のサンプリングオシロスコープを用いたサンプリング方法のフローチャートである。
【発明を実施するための形態】
【００２４】
以下、本発明を実施するための形態について、添付した図面を参照しながら詳細に説明する。
【００２５】
本発明に係るサンプリングオシロスコープは、時間の経過とともに電気信号が変化していく様子を観測できる波形測定器であり、被測定物（ＤＵＴ）から入力された被測定信号の波形データに基づく測定結果の変化を検出して、測定結果や波形データを表示する際に自動でサンプリングを開始／停止する内部サンプリング機能を有する。
【００２６】
なお、本実施の形態において、内部サンプリング機能のサンプリングとは、予めサンプリング開始／停止パラメータが設定され、サンプリング開始パラメータによるサンプリング開始条件を満たしてからサンプリング停止パラメータによるサンプリング停止条件を満たすまでの測定結果や波形データを保存・表示する処理を意味するものである。
【００２７】
図１に示すように、本実施の形態のサンプリングオシロスコープ１は、上記内部サンプリング機能を実現するため、操作部２、波形データ生成部３、第１の記憶部４、測定演算部５、第２の記憶部６、表示制御部７、表示部８、報知部９を備えて概略構成される。
【００２８】
操作部２は、例えば表示部８の表示画面８ａ上のソフトキー、カーソル、マーカーや装置本体に設けられるキー、スイッチ、ボタンなどを含み、時間の経過とともに被測定物Ｗから入力される電気信号が変化していく様子を観測できるように、測定結果や波形データを表示部８の表示画面８ａに表示するための各種設定情報を設定する際に操作される。
【００２９】
また、操作部２は、内部サンプリング機能によるサンプリングを自動で開始／停止するために必要なパラメータとして、予めサンプリング開始パラメータとサンプリング停止パラメータを設定する際に操作される。
【００３０】
サンプリング開始パラメータとしては、例えば被測定物Ｗの調整を行う測定項目（例えばアベレージパワー、消光比、マスクマージンなど）、被測定物Ｗの測定結果がどれだけ変化したらサンプリングを開始するかを決める測定項目毎の変化量（測定結果の変化方向（＋、−、±）を含む固定値、範囲）、変化量を何回超えたときにサンプリングを開始するかを決める回数などがある。
【００３１】
また、サンプリング停止パラメータとしては、例えば波形データのサンプル数、波形データの波形数、サンプリング時間などがある。これらサンプリング開始パラメータとサンプリング停止パラメータは、被測定物Ｗの測定内容に応じてユーザが操作部２を操作して適宜設定することができる。
【００３２】
波形データ生成部３は、Ａ／Ｄ変換器を含み、被測定物Ｗからの入力信号（アナログ信号）をＡ／Ｄ変換して波形データを生成する。
【００３３】
第１の記憶部４は、波形データ生成部３にて生成される１つのアイ波形（１波形）に含まれるサンプル数の波形データを一時的に格納して記憶しており、測定演算部５による１波形のサンプリングごとにクリアされる。なお、第１の記憶部４は、２つのアイ波形（２波形）に含まれるサンプル数の波形データを記憶できる容量を有していれば、波形データ生成部３にて生成された波形データの一時的な記憶と測定演算部５によるサンプリング処理（波形データの変化量の演算を含む）とを並行して同時に実行することができる。
【００３４】
測定演算部５は、第１の記憶部４に記憶された波形データから操作部２にて設定された測定項目の演算を行い、演算した今回の測定結果と前回の測定結果とを比較して変化量を算出する。そして、算出した変化量が操作部２にて設定されたサンプリング開始パラメータによるサンプリング開始条件を満たすか否かを判別し、サンプリング開始パラメータによるサンプリング開始条件を満たすと判別したとき（例えば測定演算部５が算出した変化量が操作部２にて設定した変化量を超えたとき）に内部サンプリング機能によるサンプリングを開始する。
【００３５】
なお、前回の測定結果がない場合（例えば、初期起動など）やサンプリングの実行前には、予備サンプリングを所定時間だけ実行し、この予備サンプリングによって得られる測定結果を記憶部（第１の記憶部４または第２の記憶部６）に保持しておき、前回の測定結果として使用する。また、予備サンプリングを実行しない場合は、記憶部（第１の記憶部４または第２の記憶部６）に保存されている測定結果や操作部２から各測定項目毎に入力可能な基準値を前回の測定結果として使用する。
【００３６】
測定演算部５は、内部サンプリング機能によるサンプリングを開始すると、操作部２にて設定されたサンプリング停止パラメータによるサンプリング停止条件を満たすか否かを判別し、サンプリング停止パラメータによるサンプリング停止条件を満たすと判別したとき（例えば操作部２にて設定したサンプリング時間が経過が経過したとき）に内部サンプリング機能によるサンプリングを停止する。
【００３７】
第２の記憶部６は、測定演算部５がサンプリングを開始すると、サンプリングを開始してからサンプリング停止パラメータによるサンプリング停止条件を満たしてサンプリングが停止するまでの測定結果と波形データを記憶して保存する。
【００３８】
表示制御部７は、測定演算部５がサンプリング停止パラメータによるサンプリング停止条件を満たしてサンプリングを停止したときに、サンプリングを開始してから停止するまでの測定結果と波形データの少なくとも何れかを表示部８の表示画面８ａに表示制御する。
【００３９】
表示部８は、例えば装置本体に設けられる液晶表示器などの表示器で構成され、表示制御部７の制御により、被測定物Ｗの測定結果（現在値、平均値、合計値など）や波形データを表示画面８ａに表示する。
【００４０】
報知部９は、サンプリング開始パラメータによるサンプリング開始条件を満たしてサンプリングを開始したときに、サンプリングを開始した旨を報知するもので、例えばブザーの音や表示部８の表示画面８ａに表示されるメッセージによりサンプリングを開始した旨をユーザに報知する。
【００４１】
次に、上述したサンプリングオシロスコープ１を用いた内部サンプリング機能によるサンプリング方法について図２のフローチャートを参照しながら説明する。
【００４２】
まず、操作部２を操作し、被測定物Ｗの測定結果と波形データを表示するための各種設定の他、内部サンプリング機能によるサンプリングの開始・停止を自動で行うために必要なサンプリング開始パラメータとサンプリング停止パラメータを設定する（ＳＴ１）。
【００４３】
例えば、測定項目：アベレージパワー、変化量：±０．５ｄＢｍをサンプリング開始パラメータとして設定し、サンプリング時間：５秒をサンプリング停止パラメータとして設定する。この場合、測定演算部５にて演算されるアベレージパワーの変化量が±０．５ｄＢｍの範囲を超えたときに、サンプリング開始パラメータによるサンプリング開始条件を満たし、サンプリング時間が５秒経過したときにサンプリング停止パラメータによるサンプリング停止条件を満たすものとする。
【００４４】
波形データ生成部３は、被測定物Ｗから入力信号が入力されると、この入力信号をＡ／Ｄ変換して波形データを生成する（ＳＴ２）。波形データ生成部３にて生成された波形データは、第１の記憶部４に一時的に記憶される。
【００４５】
次に、測定演算部５は、第１の記憶部４に記憶された波形データから測定項目：アベレージパワーの演算を行い、今回のアベレージパワーの測定結果と前回のアベレージパワーの測定結果とを比較して変化量を算出する（ＳＴ３）。
【００４６】
なお、前回のアベレージパワーの測定結果がない場合には、最初に予備サンプリングを実行し、この予備サンプリングで得られるアベレージパワーの測定結果を前回のアベレージパワーの測定結果として使用する。又は、操作部２にてユーザが設定するアベレージパワーの基準値を前回のアベレージパワーの測定結果として使用する。
【００４７】
次に、測定演算部５は、算出した変化量がサンプリング開始パラメータによるサンプリング開始条件を満たすか否か判別し（ＳＴ４）、算出した変化量が±０．５ｄＢｍの範囲を超えてサンプリング開始パラメータによるサンプリング開始条件を満たすと（ＳＴ４−Ｙｅｓ）、内部サンプリング機能によるサンプリングを開始する（ＳＴ５）。そして、サンプリングが開始されると、その時点からの測定結果と波形データが第２の記憶部６に記憶される。測定演算部５は、サンプリング開始条件を満たさなければ（ＳＴ４−Ｎｏ）、今回のアベレージパワーの測定結果と前回のアベレージパワーの測定結果を比較して変化量を算出する処理（ＳＴ３）に戻る。
【００４８】
また、報知部９は、サンプリング開始パラメータによるサンプリング開始条件を満たしてサンプリングが開始されると、サンプリングを開始した旨を例えばブザー音やメッセージ表示によりユーザに報知する。
【００４９】
その後、測定演算部５は、サンプリング停止パラメータによるサンプリング停止条件を満たすか否か判別し（ＳＴ６）、サンプリング時間が５秒経過してサンプリング停止パラメータによるサンプリング停止条件を満たすと（ＳＴ６−Ｙｅｓ）、内部サンプリング機能によるサンプリングを停止する（ＳＴ７）。これにより、第２の記憶部６には、サンプリングが開始されてから停止するまでの測定結果と波形データが記憶保存される。
【００５０】
そして、表示制御部７は、サンプリング停止パラメータによるサンプリング停止条件を満たしてサンプリングを停止すると（ＳＴ７）、第２の記憶部６に記憶保存されたサンプリングの開始から停止までの測定結果と波形データの少なくとも何れかを表示部８の表示画面８ａに表示制御する（ＳＴ８）。
【００５１】
この状態でユーザが表示部８の表示画面８ａを確認して被測定物Ｗの測定結果に問題がなければ（ＳＴ９−Ｙｅｓ）、内部サンプリング機能によるサンプリングの処理を終了する。被測定物Ｗの測定結果に問題があれば（ＳＴ９−Ｎｏ）、ユーザが被測定物Ｗの調整を行う（ＳＴ１０）。ユーザが被測定物Ｗの調整を行うと、ＳＴ２の処理に戻って被測定物Ｗからの入力信号から波形データを生成する。そして、測定演算部５は、今回のアベレージパワーの測定結果と前回のアベレージパワーの測定結果を比較して変化量を算出する処理を行い（ＳＴ３）、サンプリング開始パラメータによるサンプリング開始条件を満たすと（ＳＴ４−Ｙｅｓ）、再び内部サンプリング機能によるサンプリングを開始する（ＳＴ５）。すなわち、ユーザが被測定物Ｗを調整することで、被測定物Ｗの測定結果にサンプリング開始パラメータの変化量を超えるような変化が起こると、内部サンプリング機能によるサンプリングを開始する。そして、ユーザが被測定物Ｗの調整を行い、測定結果に問題がなくなるまで上述した内部サンプリング機能によるサンプリングが繰り返される。
【００５２】
なお、上述した内部サンプリング機能のサンプリングにおいて、サンプリングを停止して表示部８の表示画面８ａに測定結果と波形データを表示したときのスクリーンショットを撮影し、撮影したスクリーンショットを第２の記憶部６に記憶して保存することもできる。これにより、被測定物Ｗの測定後であっても、撮影したスクリーンショットの測定結果と波形データから被測定物Ｗの性能を検証することができる。
【００５３】
また、上述した説明では、サンプリング開始パラメータをアベレージパワーの変化量：±０．５ｄＢｍとし、測定演算部５にて演算されるアベレージパワーの変化量が±０．５ｄＢｍの範囲を超えたときにサンプリングを開始し、サンプリング停止パラメータをサンプリング時間：５秒とし、サンプリング時間が５秒経過したときにサンプリングを停止するものとしたが、これに限定されるものではなく、被測定物Ｗの測定項目に応じてユーザが操作部３を操作して適宜設定することができる。
【００５４】
このように、本実施の形態によれば、被測定物の入力信号から生成される波形データの測定結果の変化量がサンプリング開始パラメータによるサンプリング開始条件を満たすとサンプリングを自動的に開始し、サンプリング停止パラメータによるサンプリング停止条件を満たしたときに自動的にサンプリングを停止するように制御する（内部サンプリング機能）。これにより、低コストのサンプリングオシロスコープであっても自動的にサンプリングを開始／停止させて波形データを収集することができる。しかも、ユーザが被測定物の調整に専念できるので、低コストと調整効率の良さを両立することができる。また、サンプリング開始／停止条件を満たした測定結果や波形データのみを効率的に表示や保存が行えるので、被測定物の調整の効率化や不具合の特定が容易になる。
【００５５】
ところで、上述した実施の形態では、サンプリングの開始から停止までの測定結果と波形データを図１の第２の記憶部６に記憶保存する構成としているが、第１の記憶部４にサンプリングの開始から停止までの測定結果と波形データを記憶保存する構成とし、第２の記憶部６を省くこともできる。また、サンプリングオシロスコープに接続可能な外部記憶装置に対し、サンプリングの開始から停止までの測定結果と波形データを記憶保存する構成としてもよい。
【００５６】
以上、本発明に係るサンプリングオシロスコープ及びこれを用いたサンプリング方法の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００５７】
１  サンプリングオシロスコープ
２  操作部
３  波形データ生成部
４  第１の記憶部
５  測定演算部
６  第２の記憶部
７  表示制御部
８  表示部
８ａ  表示画面
９  報知部
Ｗ  被測定物（ＤＵＴ）
【図１】
2019109205.tif 000003
【図２】
2019109205.tif 000004
【図３】
2019109205.tif 000005